(57)【特許請求の範囲】
【請求項１】
Ｗｅｂアクセス解析を用いた電子メール配信サービス方法において、
プロセッサは、アクセスしたことを記録するアクセス記録手段にアクセスして、該アクセス記録手段から配信要求したユーザがアクセスしたコンテンツの一覧を読み取り、
次に、該プロセッサは、コンテンツ・カテゴリ記録手段にアクセスして、該記録手段からカテゴリと読み取った各コンテンツが所属するカテゴリＩＤを読み取り、
該プロセッサは、読み取ったカテゴリＩＤごとに、幾つのコンテンツに所属していたかをカウントし、カウント数が高い順に優先順位を記憶手段上に設定する際に、最優先のカテゴリ、および２番目と３番目の組合わせに注目して、カテゴリの関連度を示すカテゴリ関連度記憶手段にアクセスし、該記憶手段から関連度の高いカテゴリＩＤを読み取り、
該プロセッサは、前記関連度の高いカテゴリＩＤについて、配信情報・カテゴリ記録手段にアクセスして、配信情報を該記録手段上に設定し、
該プロセッサは、配信情報の優先順位に従って、メール文章の先頭から順に配信情報を記憶手段上に並べ、該記憶手段でメール文章を作成する際に、該メール文章の予め定めた位置あるいは最終位置に、関連度の高いカテゴリＩＤの配信情報を配置して、文章を作成し、書き込むことを特徴とするＷｅｂアクセス解析を用いたメール配信方法。
【請求項２】
Ｗｅｂサーバからの要求により、個人認証を行う個人認証手段、ユーザ毎にアクセスしたＷｅｂコンテンツの情報をデータベースに記録するアクセス記録手段、配信情報登録クライアントの要求によりカテゴリ等が定義された配信情報をデータベースに登録する配信情報登録手段、前記アクセス記録手段に記録されたアクセス記録情報を元にユーザがアクセスしたカテゴリ毎のアクセス数をカウントし、カウント数が高い順に優先順位を記憶手段上に設定する際に、最優先のカテゴリ、および２番目と３番目の組合わせに注目して、カテゴリの関連度を示すカテゴリ関連度記憶手段から関連度の高いカテゴリＩＤを読み取り、関連度の高いカテゴリＩＤについて、配信情報・カテゴリ記録手段上に配信情報を設定する配信情報設定手段、配信情報の優先順位に従って、メール文章の先頭から順に配信情報を記憶手段上に並べ、該記憶手段でメール文章を作成する際に、該メール文章の予め定めた位置あるいは最終位置に、関連度の高いカテゴリＩＤの配信情報を配置して、文章を作成し、書き込むメール文章作成手段、および、前記メール文章作成手段で作成されたメール文章を各ユーザ端末に配信するためのメール配信手段を具備したことを特徴とするＷｅｂアクセス解析を用いたメール配信装置。
【請求項３】
請求項１に記載のＷｅｂアクセス解析を用いたメール配信方法の手順を、コンピュータに実行させるためのＷｅｂアクセス解析およびメール配信用プログラム。
【発明の詳細な説明】
【０００１】
【発明の属する技術分野】
本発明は、Ｗｅｂページのメール配信サービスにおいて、配信文章をユーザ毎にカスタマイズする方法に関し、特にユーザがホームページ等をアクセスした内容をデータベースに記憶しておき、メール配信時にはデータベース内の情報を分析して配信先ユーザ毎に情報の優先順位を設定し、メールを優先順に従って配置して配信するＷｅｂアクセス解析を用いたメール配信システムおよび方法、ならびにそのプログラムに関する。
【０００２】
【従来の技術】
近年のインターネット技術の発達により、多種多様な情報発信サイトが設立されている。各サイト内には細分化されたコンテンツを有し、最新情報をユーザへ告知するために、メールを一定間隔（日に１度）または重要情報がある時に発信するサービスを行っている。
しかしながら、メール内の全ての情報が全受信者に必要な情報ではない。特に、サイト内の一部分のみに興味を持つユーザは、不要な情報の中から自分が求めている情報を探し出すための労力を支払わなければならない。この負担は、サイトのサービス向上が進むに従って、つまり情報発信量が増えるに従って増大し、時には受信者が求める情報を見落とす程度に量が増大することになる。必要とする労力と得られる情報とが割に合わない場合には、ユーザはメールサービスを停止することもあり、その結果、ユーザのＷｅｂサーバへの訪問の減少へと繋がり、サイト経営者側の不利益となる。
【０００３】
従来、例えば、特開平１０−３２０４１５号公報に記載の装置（以下、方式Ａと記す）では、Ｗｅｂサーバが提供するホームページに、アクセスしたユーザが自身の趣向に関する情報を入力することにより、Ｗｅｂサーバにその趣向情報が記憶される。一方、配信する情報を記憶したデータベースサーバは、ユーザに関する配信条件とともに上記ユーザの趣向情報も記憶し、電子メールを配信するとき、趣向情報と合致する配信条件の情報が検索され、複数の情報が検索されたときには、それらの情報を統合されて１つの電子メール中に配置され、ＳＭＴＰサーバから各ユーザ端末に送信される。
【０００４】
また、特開２０００−２７００１３号公報に記載の装置（以下、方式Ｂと記す）では、メールサーバとクライアント端末との間にＷｅｂサーバを搭載した電子メール中継装置を置き、その中継装置の個人情報取得部がユーザ名とパスワードに対応する利用者の利用者付加情報を読み出し、個人情報テーブルに登録する。メールサーバからクライアントに対する電子メールが送られてきたとき、中継装置では、個人情報テーブルに登録された利用者の要望や年令を反映させて電子メールを変換して、あるいは登録された趣向に応じた広告を掲載して要求先の利用者に送信する。
【０００５】
また、特開２００１−３６５６７号公報に記載の装置（以下、方式Ｃと記す）では、やはり中継装置内にＷｅｂサーバと付加情報登録部と初期情報登録部と個人情報更新部とを設け、初期情報登録部はユーザ名とＰＡＳＳコマンドからパスワードを取得して個人情報テーブルに登録し、付加情報登録部はＷｅｂサーバにより取得された追加登録ページの各項目内容を個人情報テーブルに登録し、個人情報更新部は登録された付加情報の生年月日を参照し、誕生日で年令を更新し、電子メールが送られてきたときには、利用者の個人情報の要望や趣向を反映したメールデータに変換して配信する。
【０００６】
【発明が解決しようとする課題】
このように、従来の技術では、情報配信サイトにおいて、自動的に各ユーザの趣向を採取して登録し、配信メールに自動的にその趣向を反映させるようなシステムや方法は見当らない。
すなわち、上記方式Ａでは、ユーザが画面上で設定することにより、自身の趣向を入力することで、電子メールが配信されるとき、趣向情報と合致した情報が電子メール中に配置され、ユーザ端末に送信される。しかし、ユーザが自ら希望する趣向を画面上で設定する必要があり、幼児や老齢者、あるいは画面上の入力設定が面倒な人にとっては、入力できない場合もある。このような場合には、サーバ側で各ユーザの趣向を自動的に調査して、登録しておき、配信メールにその趣向を反映させることができれば好ましい。
【０００７】
また、上記方式ＢおよびＣでは、ユーザが画面上ではなく、サーバに対する電子メール内に付加情報として自身の趣向を記載して送信するものであって、中継装置の個人情報取得部がユーザ名とパスワードに対応する利用者の利用者付加情報を読み出し、個人情報テーブルに登録しておき、サーバからユーザに対する電子メールが送られてきたとき、そのユーザの趣向を反映させた情報を配信するようにしている。しかし、幼児や老齢者を含めて、付加情報に自身の趣向を記載することを知らないユーザ、あるいは面倒なユーザにとっては、自身の趣向を知らせることができない。
【０００８】
インターネット上には無限のユーザ数がおり、ユーザとしては年令的にも肉体的にも様々な範囲にわたっている。従って、画面上やメール上で自身の趣向を設定したり、記載することが不可能なユーザも多く、またメール配信サーバはユーザ毎にメール文章を手作業で作成するのは現実的に不可能である。
従来より、各サイトは、メール文章に目次を作成し、コンテンツを分割する等、読み易い形態となるよう努力している。しかし、サーバにおいてユーザ毎に自動的にカスタマイズする機能は無い模様である。
【０００９】
そこで、本発明の目的は、これら従来の課題を解決し、情報発信サイトにおいてユーザが求めている情報を自動的に調査して登録しておき、ユーザへのメール配信時には該メール内の先頭へ該ユーザの趣向に合致した情報を自動的に配置することができ、メール受信者にとって必要である情報を素早く発見することが可能なＷｅｂアクセス解析を用いたメール配信システムおよび方法、ならびにそのプログラムを提供することである。
【００１０】
【課題を解決するための手段】
上記目的を達成するため、本発明のＷｅｂアクセス解析を用いたメール配信方法は、プロセッサは、アクセスしたことを記録するアクセス記録手段にアクセスして、該アクセス記録手段から配信要求したユーザがアクセスしたコンテンツの一覧を読み取り、次に、該プロセッサは、コンテンツ・カテゴリ記録手段にアクセスして、該記録手段からカテゴリと読み取った各コンテンツが所属するカテゴリＩＤを読み取り、該プロセッサは、読み取ったカテゴリＩＤごとに、幾つのコンテンツに所属していたかをカウントし、カウント数が高い順に優先順位を記憶手段上に設定する際に、最優先のカテゴリ、および２番目と３番目の組合わせに注目して、カテゴリの関連度を示すカテゴリ関連度記憶手段にアクセスし、該記憶手段から関連度の高いカテゴリＩＤを読み取り、該プロセッサは、前記関連度の高いカテゴリＩＤについて、配信情報・カテゴリ記録手段にアクセスして、配信情報を該記録手段上に設定し、
該プロセッサは、配信情報の優先順位に従って、メール文章の先頭から順に配信情報を記憶手段上に並べ、該記憶手段でメール文章を作成する際に、該メール文章の予め定めた位置あるいは最終位置に、関連度の高いカテゴリＩＤの配信情報を配置して、文章を作成し、書き込むことを特徴としている。
また、本発明のＷｅｂアクセス解析を用いたメール配信装置は、Ｗｅｂサーバからの要求により、個人認証を行う個人認証手段、ユーザ毎にアクセスしたＷｅｂコンテンツの情報をデータベースに記録するアクセス記録手段、配信情報登録クライアントの要求によりカテゴリ等が定義された配信情報をデータベースに登録する配信情報登録手段、前記アクセス記録手段に記録されたアクセス記録情報を元にユーザがアクセスしたカテゴリ毎のアクセス数をカウントし、カウント数が高い順に優先順位を記憶手段上に設定する際に、最優先のカテゴリ、および２番目と３番目の組合わせに注目して、カテゴリの関連度を示すカテゴリ関連度記憶手段から関連度の高いカテゴリＩＤを読み取り、関連度の高いカテゴリＩＤについて、配信情報・カテゴリ記録手段上に配信情報を設定する配信情報設定手段、配信情報の優先順位に従って、メール文章の先頭から順に配信情報を記憶手段上に並べ、該記憶手段でメール文章を作成する際に、該メール文章の予め定めた位置あるいは最終位置に、関連度の高いカテゴリＩＤの配信情報を配置して、文章を作成し、書き込むメール文章作成手段、および、前記メール文章作成手段で作成されたメール文章を各ユーザ端末に配信するためのメール配信手段を具備したことを特徴としている。
【００１１】
【発明の実施の形態】
以下、本発明の実施例を、図面により詳細に説明する。
図１は、本発明の一実施例を示すメール配信システムのブロック図である。
図１において、１０１はＷｅｂ購読者であるユーザクライアントマシン、１０５はＷｅｂサーバ、１０８は処理サーバ、１１２は配信する情報を処理サーバ１０８に登録する配信情報登録クライアントマシンである。マシン１０１と１１２を使用するのは、いずれもユーザであって、前者はホームページ閲覧、メール受信者（顧客など）であり、後者は情報提供者（企業やその従業員など）である。ここで、Ｗｅｂサーバ１０５は異なる企業毎に存在するので、複数個がそれぞれ別個に処理サーバ１０６に接続される。Ｗｅｂ購読者は、異なるＷｅｂサーバにいつでもアクセスでき、各Ｗｅｂサーバ１０５上のコンテンツ、例えばホームページを参照する。
【００１２】
Ｗｅｂ購読者は、ユーザクライアントマシン１０１のＷｅｂブラウザ１０２から、インターネット１０４上のコンテンツ１０７の情報を要求する。Ｗｅｂサーバ１０５は要求を受信すると、まず個人認証１０６を行い、ユーザ登録されていることを確認するため、処理サーバ１０８内の認証機能１０９を呼び出し、記録データベース１１１にクライアント情報が登録されているか否かを確認する。登録が確認された場合、コンテンツ１０７をユーザクライアント１０１上のＷｅｂブラウザ１０２へ渡すと同時に、アクセス記録機能１１０を呼び出し、記録データベース１１１内のアクセス記録テーブル２０３（図２参照）にアクセス記録を登録する。
このようにして、各ユーザが処理サーバ１０８に接続されている全てのＷｅｂサーバ１０５のコンテンツをアクセスする毎に、アクセス記録機能１１０を通して記録データベース１１１に記録されるので、各ユーザの興味情報、つまり趣向が登録され、ユーザ毎の趣向が自動的に調査される。
【００１３】
一方、配信情報作成者は、メールで配信する情報を登録するために、配信情報登録クライアント１１２から、処理サーバ１０８内の配信情報登録機能１１３を呼び出し、記録データベース１１１に情報を記録する。配信情報登録クライアント１１２は、図１では直接処理サーバ１０６の配信情報登録機能１１３にアクセスしているが、インターネット１０４あるいはその他のネットワークを経由して配信情報登録機能１１３にアクセスすることも可能であり、また直接自身が処理サーバ１０８に行って、自分でデータベース１１１に配信情報を登録することも可能である。
【００１４】
次に、処理サーバ１０８から各ユーザに対して電子メールを配信する場合には、メール配信機能１１４は、メール文章作成機能１１５でユーザの過去のアクセス記録を記録データベース１１１から取得し、ユーザが過去に要求した情報を分析することにより、購読頻度の高い情報カテゴリを取得し、その結果により記録データベース１１１に登録された配信情報をならべてメール文章を作成する。ここでは、メールの先頭にユーザの最もアクセス頻度の高いカテゴリの情報を配置し、以下、順次趣向を反映したカテゴリを優先順位として情報を配置し、メール文章を作成する。そして、インターネット１０４を介して、ユーザクライアント１０１のメーラー１０３にメールが配信される。
【００１５】
図２は、図１における記録データベースのテーブル構造を示した図である。
（１）記録データベース（テーブル構造）
図２に示すように、記録データベース２０１には、ユーザに関するテーブル２０２，２０３、ホームページと電子メールの両方に関係するカテゴリテーブル２０４、ホームページに関係するコンテンツテーブル２０５とコンテンツ−カテゴリテーブル２０６、電子メールに関する配信情報テーブル２０７と配信情報−カテゴリテーブル２０８の７つのテーブルが格納されている。
２０２はユーザ情報テーブルで、このテーブルにユーザの情報が登録される。２０５はコンテンツテーブルで、各コンテンツ情報が登録されている。２０３はアクセス記録テーブルで、このテーブルはユーザがコンテンツにアクセスした記録が登録される。２０７は配信情報テーブルで、このテーブルは配信情報作成者によってユーザに通知する情報が登録される。２０４はカテゴリテーブルで、コンテンツ，配信情報を分類する情報が登録されている。２０６はコンテンツ−カテゴリテーブル、２０８は配信情報−カテゴリテーブルで、それぞれコンテンツ，配信情報のカテゴリ分類情報が登録される。
【００１６】
（２）記録データベース（テーブル情報）
次に、記録データベース２０１内の格納情報について説明する。
図３は、カテゴリテーブル３０１を示した図であって、カテゴリＩＤ３０２に対応してコンテンツと配信情報を分類するカテゴリ名称３０３が格納されている。
図４は、コンテンツテーブル４０１を示した図であって、コンテンツＩＤ４０２に対応してＷｅｂで公開しているコンテンツ情報（コンテンツ名４０３）を格納する。
図５は、配信情報テーブル５０１を示した図であって、メール配信する情報コンテンツが格納される。すなわち、配信情報ＩＤ５０２に対応して配信情報５０３が格納される。なお、配信情報５０３の容量が膨大になる場合には、情報自体は記録データベース２０１外に格納するとともに、そのアドレス等の情報を配信情報５０３として記録データベース２０１内に格納してもよい。
【００１７】
図６，図７は、それぞれコンテンツ−カテゴリテーブル６０１，配信情報−カテゴリテーブル７０１を示した図であって、コンテンツ，配信情報がどのカテゴリに分類されているかが設定される。コンテンツ，配信情報とカテゴリの関係は１：ｎである。すなわち、１つのコンテンツ（ホームページの内容）、または１つの配信情報（メール内容）が、複数のカテゴリにまたがっている場合がある。図３のカテゴリテーブル３０１には、カテゴリの例として、カテゴリ名３０３に「自然環境，生物，政治」のカテゴリが格納されている。図４のコンテンツテーブル４０１には、コンテンツの例として、コンテンツ名４０３に「環境汚染，動植物，選挙」が格納されている。また、図６のコンテンツ−カテゴリテーブル６０４内には、コンテンツ名「環境汚染」が、カテゴリ名「自然環境，生物」へ、コンテンツ名「動植物」がカテゴリ名「自然」へ、それぞれ分類されている場合の格納状態で、コンテンツ名４０３を一意に分類するコンテンツＩＤ４０２が６０２へ、カテゴリ名３０３を一意に分類するカテゴリＩＤ３０２が６０３へ、それぞれ格納されている。
【００１８】
図５の配信情報テーブル５０１と図３のカテゴリテーブル３０１の分類も同様に、図７の配信情報−カテゴリテーブル７０１に格納されており、配信情報５０１を一意に認識する配信情報ＩＤ５０２が７０２へ、カテゴリＩＤ３０２が７０３へ、それぞれ入る。図３，図５，図７の例では、配信情報５０３「配信内容Ａ」がカテゴリ名「自然環境，生物」へ、「配信内容Ｂ」がカテゴリ名「生物」へ、そして「配信内容Ｃ」がカテゴリ名「政治」に、それぞれ分類される。
図８は、図２におけるユーザ情報テーブル８０１を示した図であって、ユーザ登録した購読者の情報を格納する。このユーザがメール配信対象となる。
図９は、アクセス記録テーブル９０１を示した図であって、コンテンツへのアクセス要求がある度に、アクセスしたユーザのユーザＩＤ８０２が９０２へ、アクセス先コンテンツのコンテンツＩＤ４０２が９０３へ、それぞれ格納される。図８のデータ格納例では、ユーザ名８０３「ＡＡＡ」がコンテンツ「環境汚染，動植物」へ、ユーザ名８０３「ＢＢＢ」がコンテンツ「環境汚染，選挙」へ、それぞれアクセスした記録が格納されている。
なお、図９に示すように、アクセス記録テーブル９０１にエリアを増設して、「日付」９０４と「備考」９０５を設けることもできる。これにより、ユーザまたは配信者の要望により、「１年前にアクセスした情報」あるいは「３ケ月前にアクセスした情報」までを、配信されるメール情報に反映させることができる。
【００１９】
（３）アクセス情報の記録
次に、アクセス記録格納処理を、図１０，図１１により説明する。
図１０は、Ｗｅｂサーバへコンテンツへのアクセス要求がされたときの認証処理フローチャートであって、図１０（ａ）はＷｅｂサーバ側の処理、図１０（ｂ）は処理サーバ側の処理である。
図１０（ａ）では、ユーザからのコンテンツへのアクセス要求があると、最初のアクセス時のみ認証を行う。すなわち、アクセス要求があったユーザは未だ認証を行っていないか否かを判別し（ステップ１００１）、認証を行っていないときのみ（Ｙ）、処理サーバの認証機能を呼び出し、ユーザＩＤが返されるか否かを待機する（ステップ１００２）。一方、認証を行っているときには（Ｎ）、処理サーバ側を呼び出すことなく、処理を終了し、アクセスを許可する。
【００２０】
図１０（ｂ）では、Ｗｅｂサーバ側からの認証要求があると、記録データベースのユーザ記録テーブルに、ユーザ情報（認証済み情報）があるか否かを判別し（ステップ１００５）、認証対象ユーザが登録されているか確認し、ユーザ情報を発見した場合には（Ｙ）、ユーザＩＤをＷｅｂサーバ側へ返送する（ステップ１００６）。そして、処理を終了する。また、未だユーザ情報テーブルに登録されておらず、ユーザ情報がない場合には（Ｎ）、未発見を通知して処理を終了する。
図１０（ａ）の処理（ステップ１００２）に戻り、ユーザＩＤが返された場合には（Ｙ）、認証下でコンテンツへのアクセスを許可する（ステップ１００３）。一方、未発見の通知を受けた場合には（Ｎ）、要求されたコンテンツへ、認証なしでアクセスを許可する（ステップ１００４）。なお、認証なしでもアクセスを許可するか、禁止するかは、処理サーバ側の方針により決定されることであって、本発明とは直接関係がないため、それ以上の説明は省略する。
【００２１】
図１１は、コンテンツへのアクセス時に行われるアクセス記録処理のフローチャートである。
図１０の処理で認証有りの場合、コンテンツへアクセス時、図１１のフローに従って、ユーザのアクセス記録を保存する。すなわち、コンテンツへのアクセスが行われると、まず認証有り，無しを判別し（ステップ１１０１）、有りの場合（Ｙ）、処理サーバ内のアクセス記録機能を呼び出し（ステップ１１０２）、アクセス記録をアクセス記録テーブル９０１に登録する。そして、コンテンツをユーザへ返す、つまりホームページを開いてユーザに見せる（ステップ１１０３）。
【００２２】
（４）配信情報の登録
次に、配信情報登録処理を図１２により説明する。
図１２は、配信情報登録機能１１３の処理フローチャートである。
配信情報登録クライアント側から登録要求があると、まず、配信情報を配信情報テーブル５０１に登録し（ステップ１２０１）、次に登録した情報のカテゴリ分類を、配信情報−カテゴリテーブル７０１に登録する（ステップ１２０２）。これにより、図２の記録データベース２０１に対して、ある配信情報登録クライアントによる配信情報の配信情報テーブル２０７と配信情報−カテゴリテーブル２０８への登録が完了する。
【００２３】
（５）ユーザ別メール文章作成処理
次に、ユーザ別メール文章作成処理を図１３により説明する。
図１３は、本発明によるメール文章作成機能の動作フローチャートである。
ステップ１３０１〜１３０３がユーザ毎の趣向の自動調査処理であり、ステップ１３０４，１３０５はメール文章の情報自動並べ替え処理である。
メール発送に際して解析要求があると、まずメール送付先ユーザのアクセス記録をアクセス記録テーブル９０１から検索し（ステップ１３０１）、アクセスしたコンテンツのカテゴリＩＤをコンテンツ−カテゴリテーブル６０１から取得する（ステップ１３０２）。次に、同ユーザがアクセスした全コンテンツの全カテゴリＩＤを取得し（ステップ１３０２）、次に、カテゴリＩＤの合計数が多いものから順にユーザへ優先的に告知する情報とする（ステップ１３０３）。すなわち、コンテンツ−カテゴリテーブル６０１から取得したコンテンツのカテゴリＩＤに対して、全てのカテゴリＩＤ毎の数をカウントし、最も多いカウント値のものから順に優先順位を決定する。
【００２４】
次に、ステップ１３０３で決定した順序に従い、配信情報−カテゴリテーブル７０１から配信情報の優先順位を設定する（ステップ１３０４）。すなわち、配信情報が属するカテゴリについて、優先順位が高いものが多く含まれているもの（配信情報）から順に優先度を高く設定する。
次に、配信情報の優先順が高いものから順に、メール文章先頭から配信情報を並べ、メール文章を作成する（ステップ１３０５）。このとき、予めユーザからの要望により、最優先の配信情報を１つだけ配信する場合、指定された数だけ配信情報を送信する場合、あるいは少ないカウント数のカテゴリについては配信情報を削除する場合等の処理を行うこともできる。
【００２５】
図３〜図９のデータ例により、図８のユーザ名「ＡＡＡ」（ユーザＩＤ＝１）の配信情報の優先順位を対象とした場合について説明する。
図１３において、まずアクセス記録テーブル９０１からユーザＩＤ８０２＝１が過去にアクセスしたコンテンツＩＤを取得する（ステップ１３０１）。ユーザ「ＡＡＡ」は過去にコンテンツＩＤ９０１＝１，２にアクセスしている。次に、コンテンツ−カテゴリテーブル６０１より、コンテンツのカテゴリＩＤ６０３を取得する（ステップ１３０２）。その結果、カテゴリＩＤ＝１，２，２が取得される。次に、取得したカテゴリＩＤをカウントし、合計数が多いものから順に優先順位を設定する（ステップ１３０３）。ここでは、カテゴリＩＤ＝２，１，３の順となる。
【００２６】
この情報を元に、配信情報−カテゴリテーブル７０１から、配信情報の優先順位を決定する（ステップ１３０４）。配信情報ＩＤ＝１，２のカテゴリＩＤはそれぞれ、１，２と２であり、両方とも最も優先順位が高いカテゴリＩＤ＝２に属しているが、配信情報ＩＤ＝１は、２番目に優先順位の高いカテゴリＩＤ＝１にも属しているため、こちらの情報が優先度が高い。よって、配信情報の優先順位は配信情報ＩＤ＝１，２，３の順となる。最後に、この配信情報の優先順位に従い、メール文章を作成する（ステップ１３０５）。よって、ユーザ名「ＡＡＡ」のメール文章の配信情報５０３は、「配信内容Ａ」，「配信内容Ｂ」，「配信内容Ｃ」の順に並ぶことになる。
【００２７】
（６）応用例
図１４は、本発明の応用例を示すＷｅｂアクセス解析を用いたメール配信方法のブロック図であって、図１４（ａ）は記録データベースのテーブル構造図、図１４（ｂ）は記録データベースに格納されるカテゴリ関連度テーブルの情報を示す図である。
これまで説明してきた実施例では、カテゴリの関連度については考慮していなかった。しかし、例えば、あるユーザのアクセス記録情報から、『株式』のカテゴリが最も優先度が高いと決定された場合、『株式』に密接に関連する『経済』や『政治』のカテゴリの情報も同時にメール文章として組み込むことが望ましい。その他、『釣』，『旅行』等のカテゴリに対しては、『天候』ないし『気象』等のカテゴリの情報も同時に配信することが望ましい。
【００２８】
そのためには、図１４（ａ）に示すように、記録データベース２０１内に、カテゴリ関連度テーブル２０９を登録しておく。このカテゴリ関連度テーブル２０９は、図１４（ｂ）に示すように、カテゴリ同士の関連度を示したものである。例えば、カテゴリＩＤ＝１に対してはカテゴリＩＤ＝３の関連度がＡ（高い）であることがわかる。また、カテゴリＩＤ＝１に対してカテゴリＩＤ＝４の関連度はＢ（それほど高くない）である。また、複数のカテゴリの統合に対しても、カテゴリＩＤ＝１，２の組合せに対して、カテゴリＩＤ＝５がＡ（高い）、またカテゴリＩＤ＝１，２，３の組合せに対しては、カテゴリＩＤ＝７がＡ（高い）ことがわかる。
図１３のフローにおいて、ステップ１３０３では、カウント数が高い順に優先度が設定されるが、その時に最優先のカテゴリ、および２番目と３番目の組合せに注目して、カテゴリ関連度テーブル２０９から関連度の高いカテゴリＩＤを取得する。次に、ステップ１３０４では、関連度の高いカテゴリＩＤについて、配信情報−カテゴリテーブルから配信情報を設定し、ステップ１３０５では、メール文章の特定位置または最終位置に、関連度の高いカテゴリＩＤの配信情報を配置して文章を作成する。
このようにして、ユーザの趣向に反映した配信情報が送られると同時に、そのカテゴリに関連度が高いカテゴリの情報も組み込まれて配信される。
【００２９】
（７）プログラムとその記録媒体
図１３に示すフローの各ステップをプログラムに変換した後、そのプログラムをＣＤ−ＲＯＭ等の記録媒体に格納しておけば、メール文章作成用のコンピュータあるいは処理サーバの任意のコンピュータにその記録媒体を装着して、記録媒体からプログラムをインストールするか、ネットワークを介して他のコンピュータにダウンロードすることにより、本発明を容易に実現することができる。
【００３０】
【発明の効果】
以上説明したように、本発明によれば、情報発信サイトから送付されるメールの受信者は、受信者にとって必要である情報を素早く発見することが可能となる。また、ユーザはそのために画面上またはメール等で自身の趣向等を設定する必要はなく、自動的に各ユーザの趣向に合致した配信情報を受け取ることができる。
【図面の簡単な説明】
【図１】本発明の一実施例を示すＷｅｂアクセス解析を用いたメール配信システムのブロック図である。
【図２】図１における記録データベースのテーブル構造図である。
【図３】図２におけるカテゴリテーブルの格納情報を示す図である。
【図４】図２におけるコンテンツテーブルの格納情報を示す図である。
【図５】図２における配信情報テーブルの格納情報を示す図である。
【図６】図２におけるコンテンツ−カテゴリテーブルの格納情報を示す図である。
【図７】図２における配信情報−カテゴリテーブルの格納情報を示す図である。
【図８】図２におけるユーザ情報テーブルの格納情報を示す図である。
【図９】図２におけるアクセス記録テーブルの格納情報を示す図である。
【図１０】本発明における個人認証機能のフローチャートである。
【図１１】本発明におけるアクセス記録機能のフローチャートである。
【図１２】本発明における配信情報登録機能のフローチャートである。
【図１３】本発明の一実施例を示すメール文章作成機能のフローチャートである。
【図１４】本発明の応用例を示すＷｅｂアクセス解析を用いたメール配信方法の説明図である。
【符号の説明】
１０１…ユーザクライアント、１０２…Ｗｅｂブラウザ、１０３…メーラー、１０４…インターネット、１０５…Ｗｅｂサーバ、１０６…個人認証、
１０７…コンテンツ、１０８…処理サーバ、１０９…認証機能、
１１０…アクセス記録機能、１１１…記録データベース、
１１２…配信情報登録クライアント、１１３…配信情報登録機能、
１１４…メール配信機能、１１５…メール文章作成機能、
２０１…記録データベース、２０２…ユーザ情報テーブル、
２０３…アクセス記録テーブル、２０４…カテゴリテーブル、
２０５…コンテンツテーブル、２０６…コンテンツ−カテゴリテーブル、
２０７…配信情報テーブル、２０８…配信情報−カテゴリテーブル、
３０１…カテゴリテーブル、４０１…コンテンツテーブル、
５０１…配信情報テーブル、６０１…コンテンツ−カテゴリテーブル、
７０１…配信情報−カテゴリテーブル、８０１…ユーザ情報テーブル、
９０１…アクセス記録テーブル、２０９…カテゴリ関連度テーブル、
２１１，２１２…カテゴリＩＤ、２１３…関連度。
【図１】
0003849919.tif 000002
【図２】
0003849919.tif 000003
【図３】
0003849919.tif 000004
【図４】
0003849919.tif 000005
【図５】
0003849919.tif 000006
【図６】
0003849919.tif 000007
【図７】
0003849919.tif 000008
【図８】
0003849919.tif 000009
【図９】
0003849919.tif 000010
【図１０】
0003849919.tif 000011
【図１１】
0003849919.tif 000012
【図１２】
0003849919.tif 000013
【図１３】
0003849919.tif 000014
【図１４】
0003849919.tif 000015